(57)【要約】【課題】各種入出力端子を有する回路基板を１つで覆うことができるシールドケースを提供する。【解決手段】シールドケースは、周壁部の周縁から該周縁と交差する方向に向けて形成され、回路基板に形成された略矩形状の挿入孔に対応する位置に設けられ、回路基板を掛止する掛止部６０ａを有する。掛止部６０ａは、回路基板を保持するための略矩形状の保持板６１ａと、保持板６１ａから延出し、弾性を有し、挿入孔の中に傾斜して挿入される略矩形状の挿入片６１ｂとを有する。【選択図】図６
2012119460.tif 000002
【特許請求の範囲】
【請求項１】
皿状をなし、周壁部の開口側の縁部から延出して設けられた複数の掛止部を備え、該複数の掛止部を、回路基板に形成された複数の挿入孔に挿入して該回路基板を掛止し、取り付け、該回路基板上の電子部品を電磁シールドするシールドケースにおいて、
前記掛止部は、
前記回路基板を保持するための矩形状の保持板と、
該保持板から突出し、弾性を有し、前記挿入孔に傾斜して挿入される矩形状の挿入片と
を備えることを特徴とするシールドケース。
【請求項２】
前記挿入片は、前記保持板から傾斜して突出していることを特徴とする請求項１記載のシールドケース。
【請求項３】
前記挿入片は、前記挿入孔の中での移動が可能であることを特徴とする請求項１又は２記載のシールドケース。
【請求項４】
請求項１から３のいずれか１項に記載のシールドケースに、画像の表示制御を行う回路基板が取り付けられていることを特徴とする表示装置。
【請求項５】
請求項１から３のいずれか１項に記載のシールドケースと、
テレビ放送を受信する受信部と
を備えることを特徴とするテレビ受信装置。
【請求項６】
請求項１から３のいずれか１項に記載のシールドケースと、
電子部品が搭載され、複数の挿入孔が形成された回路基板と
を備え、
前記回路基板に形成された挿入孔に前記シールドケースの挿入片を傾斜して挿入して取り付け、前記シールドケースにより前記回路基板に搭載された電子部品を電磁シールドするようにしてあることを特徴とする電磁シールド構造。
【発明の詳細な説明】
【技術分野】
【０００１】
本発明は、回路基板に搭載された電子部品を電磁シールドするためのシールドケース、表示装置、テレビ受信装置及び電磁シールド構造に関する。
【背景技術】
【０００２】
近年の電子機器は小型化又は薄型化が求められており、回路基板にはより多くの電子部品がより密集して搭載されるようになっている。電子部品には動作に伴って電磁波によるノイズを放出するものがあり、このような電子部品から放出されたノイズは他の電子部品の動作に影響を与え、他の電子部品が誤動作する虞がある。このため、ノイズを放出する電子部品又は他の電子部品のいずれかを金属製のシールドケースで覆って電磁シールドすることにより、ノイズによる誤動作を防止することが行われている。
【０００３】
回路基板には、映像入出力端子、音声入出力端子又はＨＤＭＩ（High-Definition Multimedia Interface）等の入出力端子が多数配置される。回路基板に対して複数の方向からケーブルを接続できるように入出力端子を配置する場合も多い。例えば、回路基板は、背面挿し入出力端子及び横挿し入出力端子を有する。そのような配置の入出力端子を有する回路基板の上からシールドケースを取り付ける場合、入出力端子の近傍におけるシールド効果を上げて不要輻射を低減するため、シールドケースに入出力端子の大きさに適合した小さな穴を設ける必要がある。
【０００４】
一方、特許文献１には、回路基板のシールド対象部分を覆ってシールドするシールドケースを有するシールドケース構造が記載されている。特許文献１に記載の発明では、回路基板面のシールド対象部分の周縁部に沿って複数のブロック状のベース部材が互いに間隔をおいてシールド対象部分を囲む配置形態で固定されている。そして、シールドカバーは、それらベース部材に固定されて回路基板に取り付けられ、シールド対象部分がシールドされる。
【先行技術文献】
【特許文献】
【０００５】
【特許文献１】特開２００７−１１６１０４号公報
【発明の概要】
【発明が解決しようとする課題】
【０００６】
上述したようにケーブル挿入方向が異なる複数の入出力端子を設け、しかも、シールドケースに入出力端子の大きさに適合した穴を設ける場合、１つのシールドケースでは十分対応できない。シールドケースと回路基板上のグランド線との位置決め及び接続が難しくなるためである。このため、回路基板の上から配置するシールドケース及び入出力端子の接続方向に沿って配置するシールドケースの２つのシールドケースを使用していた。しかし、２つのシールドケースを使用する場合、部品点数が増加し、組立工程も複雑となる。特許文献１には回路基板のシールド対象部分を覆ってシールドするシールドケースを有するシールドケース構造が開示されているが、回路基板の上から覆うようにシールドケースを置く構造である。そのため、ケーブル挿入方向が異なる複数の入出力端子を有する回路基板の場合、例えば、横挿し部分及び背面挿し部分夫々にシールドケースが必要となり、部品点数が増加し、組立工程も複雑になる。
【０００７】
本発明は斯かる事情に鑑みてなされたものであり、弾性を有し、回路基板に形成された挿入孔に対して斜め方向に挿入される挿入片を設けることにより、ケーブル挿入方向が異なる複数の入出力端子を有する回路基板を１つで覆うことができ、しかも回路基板に対する所定の位置に位置決めすることができるシールドケース等を提供することを目的とする。
【課題を解決するための手段】
【０００８】
本発明のシールドケースは、皿状をなし、周壁部の開口側の縁部から延出して設けられた複数の掛止部を備え、該複数の掛止部を、回路基板に形成された複数の挿入孔に挿入して該回路基板を掛止し、取り付け、該回路基板上の電子部品を電磁シールドするシールドケースにおいて、前記掛止部は、前記回路基板を保持するための矩形状の保持板と、該保持板から突出し、弾性を有し、前記挿入孔に傾斜して挿入される矩形状の挿入片とを備えることを特徴とする。
【０００９】
本発明のシールドケースは、前記挿入片は、前記保持板から傾斜して突出していることを特徴とする。
【００１０】
本発明のシールドケースは、前記挿入片は、前記挿入孔の中での移動が可能であることを特徴とする。
【００１１】
本発明の表示装置は、上記のシールドケースに、画像の表示制御を行う回路基板が取り付けられていることを特徴とする。
【００１２】
本発明のテレビ受信装置は、上記のシールドケースと、テレビ放送を受信する受信部とを備えることを特徴とする。
【００１３】
本発明の電磁シールド構造は、上記のシールドケースと、電子部品が搭載され、複数の挿入孔が形成された回路基板とを備え、前記回路基板に形成された挿入孔に前記シールドケースの挿入片を傾斜して挿入して取り付け、前記シールドケースにより前記回路基板に搭載された電子部品を電磁シールドするようにしてあることを特徴とする。
【００１４】
本発明によれば、シールドケースの挿入片が弾性を有し、回路基板の挿入孔の中に傾斜して挿入される構成をとるため柔軟性を有し、シールドケースを回路基板に組み立てる際にシールドケースと回路基板の位置合わせが容易になる。
【００１５】
本発明によれば、シールドケースの差し込み片は保持板から傾斜して突出しているため、シールドケースを回路基板に組み立てる際のシールドケースと回路基板の位置合わせが容易になる。
【００１６】
本発明によれば、挿入片は挿入孔の中を移動可能であるため、差し込み片は動きの柔軟性を有する。
【００１７】
本発明によれば、前記シールドケースを表示装置に適用できる。
【００１８】
本発明によれば、前記シールドケースをテレビジョン受信装置に適用できる。
【００１９】
本発明によれば、シールドケースを回路基板に組み立てる際にシールドケースと回路基板の位置合わせが容易になる。
【発明の効果】
【００２０】
本発明によれば、弾性を有し、回路基板に形成された挿入孔に対して斜め方向に挿入される挿入片を設けることにより、ケーブル挿入方向が異なる複数の入出力端子を有する回路基板を１つで覆うことができ、しかも回路基板に対する所定の位置に位置決めすることができる。
【図面の簡単な説明】
【００２１】
【図１】実施の形態に係るシールドケースを適用することができる液晶テレビの外観例を示す説明図である。
【図２】液晶テレビからバックキャビネット及びシールドケースを外した状態での回路基板の構成を示す平面図である。
【図３】回路基板に設けられた２組の挿入孔の拡大図である。
【図４】実施の形態に係るシールドケースの平面図である。
【図５】実施の形態に係るシールドケースの斜視図である。
【図６】実施の形態に係るシールドケースの一部をなす掛止部の拡大斜視図である。
【図７】シールドケースの切欠部及び掛止部の断面図である。
【図８】挿入片が挿入孔に挿入される前後の状態におけるシールドケースの切欠部及び掛止部並びに回路基板の断面図である。
【図９】シールドケースが回路基板に取り付けられた状態を示す斜視図である。
【図１０】シールドケース及びコネクタが回路基板に取り付けられた状態を示す模式的斜視図である。
【発明を実施するための形態】
【００２２】
以下、実施の形態を図面に基づき具体的に説明する。
図１は、実施の形態に係るシールドケースを適用することができる液晶テレビの外観例を示す説明図である。
尚、本実施の形態が適用できる製品は液晶テレビに限らず、例えば、ブラウン管テレビ、プラズマテレビ等のテレビ受信装置、コンピュータ用の表示装置、光ディスク装置等の各種電子機器にも適用することができる。
【００２３】
図１Ａは液晶テレビ１の外観正面図、図１Ｂは液晶テレビ１の上面図である。液晶テレビ１は、略直方体の液晶表示パネル１ａ、液晶表示パネル１ａの後側を覆うバックキャビネット１ｂ、スタンド１ｃ及び液晶表示パネル１ａの周縁部を取り囲むフロントキャビネット１ｄを有する。液晶表示パネル１ａは、バックキャビネット１ｂ及びフロントキャビネット１ｄにより把持される。スタンド１ｃは、液晶表示パネル１ａ、バックキャビネット１ｂ及びフロントキャビネット１ｄを起立状態で支持する。
【００２４】
図２は、液晶テレビからバックキャビネット及びシールドケースを外した状態での回路基板の構成を示す平面図である。
図において、液晶テレビ１は、バックライトシャーシ１３と、横挿し用及び背面挿し用の回路基板２４等とを有する。
【００２５】
回路基板２４は、バックライトシャーシ１３の背面に配設される。回路基板２４には、ＩＣ(Integrated Circuit)又はＬＳＩ（Large Scale Integration）等の複数の電子部品が搭載される。回路基板２４には、例えば、音声・映像信号ケーブル等のコネクタ、ＵＳＢ（Universal Serial Bus）コネクタ、ＨＤＭＩコネクタ等のコネクタ等が差し込まれる横挿し入出力端子２４ａ及び背面挿し入出力端子２４ｂが設けられる。本図では、２つの横挿し入出力端子２４ａ及び背面挿し入出力端子２４ｂを示しているが、入出力端子の個数はこれに限定されるものではなく、用途に応じて多数の入出力端子を設けることができる。
尚、回路基板は、図示しないが、映像信号を受信するチューナ（受信部）を有する。
【００２６】
回路基板２４の一長辺側、即ち、回路基板２４の各辺の内、横挿し入出力端子２４ａの挿入口が望む方向にある辺の両端部には、回路基板２４に搭載される電子部品（図示せず）を電磁シールドするためのシールドケースを取り付けるために使用される２組の挿入孔、即ち、挿入孔５０ａ及び５０ｂと、挿入孔５１ａ及び５１ｂが設けられる。本図では２組の挿入孔を回路基板２４に設けた例を示した。しかし、各種製品固有の実装上の制約を考慮し、挿入孔の組の数は３つ以上でもよく、挿入孔の設置場所もまた周縁部の隅に限定されるものではない。例えば、回路基板２４の外周の３箇所に挿入孔を設け、これらの挿入孔に回路基板２４を覆うシールドケースを取り付ける構造としてもよい。
【００２７】
図３は、回路基板に設けられた２組の挿入孔の拡大図である。尚、回路基板２４に搭載される電子部品は省略してある。
回路基板２４内であって横挿し入出力端子２４ａが設けられている側には、２組の略矩形の形状をなす挿入孔５０ａ及び５０ｂと、挿入孔５１ａ及び５１ｂとが形成されている。本図では、略矩形の挿入孔を示したが、挿入孔の形状はこれに限らず、３角形、多角形、円、楕円、角丸四角形等の他の形状であってもよい。尚、角丸四角形とは、矩形に近似した図形であり、対向する２つ長手が線分と、それら２つの線分の対向する端部を２つの半円状の線で結んだ形状である。
【００２８】
２組の挿入孔の配置を、ＸＹ座標系を用いて更に詳しく説明する。
図において回路基板２４の左下隅の位置をＸＹ座標系の原点をＡとする。原点Ａから回路基板２４の短手方向を望む方向をＸ軸とする。また、原点Ａから回路基板２４の長手方向を望む方向をＹ軸とする。その場合、回路基板２４の右下隅近傍の略矩形の挿入孔５０ａ及び５０ｂは、それらの長手がＹ軸方向となり、それらの短手がＸ軸方向となるように形成されている。また、図において回路基板２４の右上隅近傍の略矩形の挿入孔５１ａ及び５１ｂは、それらの長手がＹ軸方向となり、それらの短手がＸ軸方向となるように形成されている。また、挿入孔５０ｂ及び５１ｂは挿入孔５０ａ及び５１ａよりも回路基板２４の周縁側に設けられる。また、挿入孔５０ａ及び５０ｂと挿入孔５１ａ及び５１ｂは夫々略平行の位置関係を有する。
【００２９】
図４は実施の形態に係るシールドケースの平面図、図５は実施の形態に係るシールドケースの斜視図、及び、図６は実施の形態に係るシールドケースの一部をなす掛止部の拡大斜視図である。
シールドケース６は、略矩形の皿状をなす。皿状は、例えば扁平な中空略直方体形状である。本例では、シールドケース６の形状は略矩形の皿状をなすが、中空状の形状であれば他の形状であってもよい。例えば、カバー面６０ｆの形状が５角形以上の多角形の皿状であってもよい。
【００３０】
図４及び図５に示すように、シールドケース６は、回路基板２４に形成された挿入孔５０ａ及び５０ｂと、挿入孔５１ａ及び５１ｂとに対応する位置に２つの掛止部６０ａ及び６０ｂを有する。また、シールドケース６は、回路基板２４のシールド対象部分を覆う略矩形のカバー面６０ｆをその上部に有する。カバー面６０ｆにはコネクタを通す開口部６０ｚが、周壁部６０ｉの近傍に形成されている。
【００３１】
２つの掛止部６０ａ及び６０ｂの配置を、ＸＹ座標系を用いて更に詳しく説明する。
図４において、シールドケース６の左下隅の位置及びＸＹ座標系の原点をＢとする。その場合、シールドケース６の右下隅近傍の掛止部６０ａは、周縁部６０ｑからＸ軸方向にシールドケース６の内側に向かって突設されている。また、図４において、シールドケース６の右上隅近傍の掛止部６０ｂは、周縁部６０ｒからＹ軸方向にシールドケース６の内側に向かって突設されている。尚、掛止部の配置は、本例に限らず、他の配置であってもよい。
掛止部６０ａ及び６０ｂの詳細については後述する。
【００３２】
図５において、２つの掛止部６０ａ及び６０ｂは、回路基板２４の電子部品が搭載された面の上部に設置される。周壁部６０ｇ〜６０ｊは、カバー面６０の周囲から略垂直に設けられている。周壁部６０ｈ及び６０ｉ並びにカバー面６０ｆには、２つの切欠部６０ｋ及び６０ｍが形成されている。
【００３３】
切欠部６０ｋは、周壁部６０ｈにおいて周壁部６０ｇの近傍部分が切り込まれることにより形成されている。この切り込みは、カバー面６０ｆ及び周壁部６０ｈに対して行われる。一方、切欠部６０ｍは、周壁部６０ｉにおいて周壁部６０ｈの近傍部分が切り込まれることにより形成されている。この切り込みは、カバー面６０ｆ及び周壁部６０ｉに対して行われる。
【００３４】
２つの掛止部６０ａ及び６０ｂは、夫々、切欠部６０ｋ及び６０ｍの中に形成されている。掛止部６０ａ及び６０ｂは、シールドケース６の内部に向けて突設している。シールドケース６を回路基板２４に取り付ける際、回路基板２４の挿入孔５０ａ及び５０ｂと、挿入孔５１ａ及び５１ｂとは、掛止部６０ａ及び６０ｂの下側に配置される。
【００３５】
カバー面６０ｆには開口部６０ｚが形成され、周壁部６０ｈには開口部６０ｙが形成されている。開口部６０ｚ及び開口部６０ｙは矩形状をなす。開口部６０ｚは、カバー面の６０ｆの内の周壁部６０ｉに近い位置に形成されている。矩形状の開口部６０ｚの２つの長手は、周壁部６０ｇ及び６０ｉに沿った方向にあり、開口部６０ｚの２つの短手は、周壁部６０ｈ及び６０ｊに沿った方向にある。
【００３６】
図６に示すように、掛止部６０ａは、回路基板２４を保持する保持板６１ａ、挿入片６１ｂ、連結部６１ｄ及び６１ｅ、及びビスを通すための貫通孔６１ｃを含む。保持板６１ａ、挿入片６１ｂ、及び連結部６１ｄ及び６１ｅは夫々矩形状をなし、一体成形されている。挿入片６１ｂ、及び連結部６１ｄ及び６１ｅは、保持板６１ａから周縁部６０ｑの方向に延出している。
【００３７】
挿入片６１ｂは、連結部６１ｄ及び６１ｅの間に設けられている。より詳細には、挿入片６１ｂは、保持板６１ａの表面を基準にして、連結部６１ｄ及び６１ｅの間から延出し、回路基板２４の挿入孔５０ｂに挿入できるように形成される。図３で示したように、回路基板２４には、挿入片６１ｂが挿入される挿入孔５０ｂが形成されている。挿入片６１ｂは、挿入孔５０ｂに挿入された状態で、横挿しされるコネクタが挿し込みされる方向に沿って微動できる弾性（バネ性）を有する。そのため、シールドケース６が回路基板２４に仮固定された状態でシールドケース６を左右に微動させることにより、回路基板２４とシールドケース６との位置合わせが行える。
【００３８】
図７は、シールドケースの切欠部及び掛止部の断面図である。
図７は、側壁部６０ｇから側壁部６０ｉの方向に望んだ場合における切欠部６０ｋ及び掛止部６０ａを示す。掛止部６０ａは保持板６１ａ及び挿入片６１ｂを含む。挿入片６１ｂの対向する位置には、周壁部６０ｈから延出する規制体６０ｎが設けられている。規制体６０ｎは、弾性をもった挿入片６１ｂで回路基板２４を止めるために必要である。
【００３９】
図８は、挿入片が挿入孔に挿入される前後の状態におけるシールドケースの切欠部及び掛止部並びに回路基板の断面図である。
図８Ａは、挿入片６１ｂが挿入孔５０ｂに挿入される前の状態を示し、図８Ｂは、挿入片６１ｂが挿入孔５０ｂに挿入された状態を示す。
掛止部６０ａは、保持板６１ａ及び挿入片６１ｂから成る。図８Ａに示すように、保持板６１ａから延出した挿入片６１ｂは、回路基板２４上に置かれた状態であり、挿入孔５０ｂには挿入されていない。図８Ｂに示すように、掛止部６０ａが左方向に移動することにより、挿入片６１ｂは挿入孔５０ｂに挿入される。前述した通り、挿入片６１ｂは弾性を有するため、この状態でシールドケース６を回路基板２４に仮固定した後にシールドケース６を左右に微動させることができる。
【００４０】
図９は、実施の形態に係るシールドケースが回路基板に取り付けられた状態を示す斜視図である。
図９Ａは、挿入片が挿入孔に挿入される前の状態を示し、図９Ｂは、挿入片が挿入孔に挿入された状態を示す。
掛止部６０ａは、保持板６１ａ及び挿入片６１ｂからなる。図９Ａに示すように、保持板６１ａから回路基板２４の表面に向かって延出した挿入片６１ｂは、回路基板２４上に置かれ、挿入孔５０ｂには挿入されていない。一方、図９Ｂに示すように、挿入片６１ｂが図において左方向に移動することにより、挿入片６１ｂは挿入孔５０ｂに挿入される。この状態でビス７０を挿入し、締めることにより、シールドケース６及び回路基板２４はバックライトシャーシ１３に固定される。
【００４１】
図１０は、シールドケース及びコネクタが回路基板に取り付けられた状態を示す模式的斜視図である。
図において、回路基板２４の表面にシールドケース６が設置され、コネクタ８０ａ及びコネクタ８０ｂがシールドケース６に設けられた開口部６０ｙ及び６０ｚを通って回路基板２４に設けられた入出力端子２４ａ及び２４ｂに接続される。コネクタ８０ａ及びコネクタ８０ｂが入出力端子２４ａ及び２４ｂに対して微動できるようにするため、入出力端子２４ａ及び２４ｂは、コネクタ８０ａ及び８０ｂよりも大きく形成されている。
【００４２】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００４３】
６  シールドケース
２４  回路基板
５０ａ、５０ｂ  挿入孔
５１ａ、５１ｂ  挿入孔
６０ａ、６０ｂ  掛止部
６１ａ  保持板
６１ｂ  挿入片
６１ｃ  貫通孔
６１ｄ  連結部
６１ｅ  連結部
８０ａ  コネクタ
８０ｂ  コネクタ
【図１】
2012119460.tif 000003
【図２】
2012119460.tif 000004
【図３】
2012119460.tif 000005
【図４】
2012119460.tif 000006
【図５】
2012119460.tif 000007
【図６】
2012119460.tif 000008
【図７】
2012119460.tif 000009
【図８】
2012119460.tif 000010
【図９】
2012119460.tif 000011
【図１０】
2012119460.tif 000012